(57)【特許請求の範囲】
【請求項１】
扉１に固定される本体ケース２と、
前記本体ケース２に収納され、基端部６の枢軸７を中心として、本体ケース２に収納され
た位置と本体ケース２より突出した位置との間を回動するハンドルレバー５と、
前記ハンドルレバー５の回転操作に連動して扉１を固定枠体９に対して施錠する錠止部材
１０と、
前記本体ケース２の内底壁部に選択的に設けられるハンドル受座１１または電気錠ユニット２６と、
前記ハンドルレバー５の自由端１２寄りにある前記本体ケース２の部分に設けられ、ロー
タ１４に連動装備したクランクロックプレート１５の屈曲先端部１７が、第１の鍵１６の
回転操作によって前記ハンドルレバー５の自由端１２に向けて前進した位置と当該自由端
１２から後退した位置との間を移動するようにした第１のシリンダ錠１３と、
前記ハンドルレバー５の自由端１２の近傍部分に設けられ、ロータ１９に連動装備したロ
ングロックプレート２０が、第２の鍵２１の回転操作によって前記ハンドルレバー５のガ
イド溝２３の一端開口から突出した位置と他端開口から突出した位置との間を移動するよ
うにした第２のシリンダ錠１８とからなり、
第２のシリンダ錠１８の施錠状態において、前記ロングロックプレート２０のプレート先端部２２が前記ハンドル受座１１の係止爪部２５または前記電気錠ユニット２６のプランジャ先端の錠止爪部２７に係合することによって、前記ハンドルレバー５が前記本体ケース２内に収納された位置に拘束されており、
第１のシリンダ錠１３が施錠状態にあるとき、前記クランクロックプレート１５の屈曲先
端部１７が前記ハンドルレバーの前記自由端１２に接近した位置にあり、
第２のシリンダ錠１８が解錠状態になったとき、前記ロングロックプレート２０のプレー
ト基端部２４が前記クランクロックプレート１５の前記屈曲先端部１７の背面側に係合し
て、前記ハンドルレバー５が前記本体ケース２に拘束されているようにした扉用ロックハ
ンドル装置。
【発明の詳細な説明】
【技術分野】
【０００１】
本発明は、配電盤や制御盤等の機器格納用キャビネット等に使用される扉用ロックハンド
ル装置に関するものである。
【背景技術】
【０００２】
機器格納用キャビネットに一般に使用されている扉用ロックハンドル装置は、扉に固定さ
れ、ハンドルレバー収納部とシリンダ錠収納部を前面側に隣接して形成した本体ケースと
、該ハンドル収納部に収納され、基端部の枢軸を中心に起伏回転するハンドルレバーと、
該ハンドルレバーの回転操作に連動して扉をキャビネット本体に対して開放不能に錠止す
る錠止部材と、前記シリンダ錠収納部に収納され、ロータに連動装備されたロックプレー
トがハンドルレバーの自由端部の係止凹部に係合してハンドルレバーを倒伏位置に拘束す
るシリンダー錠とからなる（特許文献１参照）。
【０００３】
この種の扉用ロックハンドル装置を使用しているユーザーからは、セキュリティの強化を目的として、ダブルロック機能の錠システムの提供（異なる２個の鍵を同時に操作しないと対象物を解錠できないこと）が要望されている。
【０００４】
しかしながら、従来の扉用ロックハンドル装置では、シリンダ錠は１個しか搭載されていないため、上記要望に応えることが困難であった。
【０００５】
本体ケース側に１個、ハンドルレバー側に１個の合計２個のシリンダ錠を使用している扉
用ハンドル装置も提案されているが（特許文献２参照）、これは上記したダブルロック機
能の提供を目的とするものではない。
【０００６】
【特許文献１】特許第３４９９５４０号公報
【特許文献２】特許第３６１６３５２号公報
【発明の開示】
【発明が解決しようとする課題】
【０００７】
本発明の課題は、ダブルロック機能のある扉用ロックハンドル装置を提供する。
【課題を解決するための手段】
【０００８】
本発明の扉用ロックハンドル装置は、扉１に固定される本体ケース２と、
前記本体ケース２に収納され、基端部６の枢軸７を中心として、本体ケース２に収納され
た位置と本体ケース２より突出した位置との間を回動するハンドルレバー５と、
前記ハンドルレバー５の回転操作に連動して扉１を固定枠体９に対して施錠する錠止部材
１０と、
前記本体ケース２の内底壁部に選択的に設けられるハンドル受座１１または電気錠ユニット２６と、
前記ハンドルレバー５の自由端１２寄りにある前記本体ケース２の部分に設けられ、ロー
タ１４に連動装備したクランクロックプレート１５の屈曲先端部１７が、第１の鍵１６の
回転操作によって前記ハンドルレバー５の自由端１２に向けて前進した位置と当該自由端
１２から後退した位置との間を移動するようにした第１のシリンダ錠１３と、
前記ハンドルレバー５の自由端１２の近傍部分に設けられ、ロータ１９に連動装備したロ
ングロックプレート２０が、第２の鍵２１の回転操作によって前記ハンドルレバー５のガ
イド溝２３の一端開口から突出した位置と他端開口から突出した位置との間を移動するよ
うにした第２のシリンダ錠１８とからなり、
第２のシリンダ錠１８の施錠状態において、前記ロングロックプレート２０のプレート先端部２２が前記ハンドル受座１１の係止爪部２５または前記電気錠ユニット２６のプランジャ先端の錠止爪部２７に係合することによって、前記ハンドルレバー５が前記本体ケース２内に収納された位置に拘束されており、
第１のシリンダ錠１３が施錠状態にあるとき、前記クランクロックプレート１５の屈曲先
端部１７が前記ハンドルレバーの前記自由端１２に接近した位置にあり、
第２のシリンダ錠１８が解錠状態になったとき、前記ロングロックプレート２０のプレー
ト基端部２４が前記クランクロックプレート１５の前記屈曲先端部１７の背面側に係合し
て、前記ハンドルレバー５が前記本体ケース２に拘束保持されようにしたものである。
【発明の効果】
【０００９】
本発明では、前記ハンドルレバー５の自由端１２寄りにある前記本体ケース２の部分に第
１のシリンダ錠１３を設け、屈曲先端部１７が前記ハンドルレバー５の自由端１２に向け
て前進した位置と当該自由端１２から後退した位置との間を移動するクランクロックプレ
ート１５を第１のシリンダ錠１３のロータ１４に連動装備し、前記ハンドルレバー５の自由端１２の近傍部分に第２のシリンダ錠１８を設け、前記ハンドルレバー５のガイド溝２３の一端開口から突出した位置と他端開口から突出した位置との間を移動するロングロックプレート２０を第２のシリンダ錠１８のロータ１９に連動装備し、前記本体ケース２の内底壁部にハンドル受座１１または電気錠ユニット２６を設けてあり、
第２のシリンダ錠１８が施錠状態にあるときには、第２のシリンダ錠１８のロングロックプレート２０のプレート先端部２２が、本体ケース２の内底壁部に設けたハンドル受座１１の係止爪部２５または前記電気錠ユニット２６のプランジャー先端の錠止爪部２７に係合することによって、前記ハンドルレバー５が収納位置に拘束保持される一方、
第２のシリンダ錠１８が解錠状態にあるときには、第２のシリンダ錠１８のロングロックプレート２０のプレート基端部２４が、第１のシリンダ錠１３の前記クランクロックプレート１５の屈曲先端部１７の背面側に係合することによって、前記ハンドルレバー５が収納位置に拘束保持されるものであるから、前記ハンドルレバー５の拘束を解除するには、第１のシリンダ錠１３と第２のシリンダ錠１８を共に解錠操作しなければならないのであり、これによってダブルロック機能のある扉用ロックハンドル装置が得られる。
【実施例１】
【００１０】
図６は、シリンダ錠２個によるダブルロック仕様の適用例を示すものであり、本体ケース
２の内底壁部に、ハンドルレバー５を収納位置に拘束するためのハンドル受座１１を設け
てある。
この実施例では、扉１の前面に本体ケース２が固定され、本体ケース２の上方端部の背面
側に軸受筒部３４が扉前面と直角に形成され、軸受筒部３４に回転可能かつ軸方向に移動
不能に装着されたロック軸３の前端部４は、ハンドルレバー５の基端部６をロック軸３に
直角な枢軸７で枢着してある。ハンドルレバー５は本体ケース２に収納された位置と本体
ケース２より突出した位置との間を回動するものであり、ロック軸３の後端部８には、扉
１を固定枠体９に錠止する錠止部材１０がビス３５によって固着してある。
【００１１】
ハンドルレバー５の自由端１２寄りにある本体ケース２の部分には、第１のシリンダ錠１
３を設けてある。この第１のシリンダ錠１３のロータ１４に連動装備したクランクロック
プレート１５は、第１の鍵１６の回転操作によって屈曲先端部１７がハンドルレバー５の
自由端１２に向けて前進した位置と当該自由端１２から後退した位置との間を移動する。
ハンドルレバー５の自由端１２の近傍部分には第２のシリンダ錠１８を設けてある。この
第２のシリンダ錠１８のロータ１９に連動装備したロングロックプレート２０は、第２の
鍵２１の回転操作によってプレート先端部２２がハンドルレバー５のガイド溝２３の一端
開口から突出した位置とプレート基端部２４がガイド溝２３の他端開口から突出した位置
との間を移動する。
【００１２】
図６に示したように第２のシリンダ錠１８がロータ１９の回転を制止された施錠状態に設
定されているとき、ロングロックプレート２０のプレート先端部２２がハンドル受座１１
の係止爪部２５の背面側に係合しているため、ハンドルレバー５は本体ケース２内に収納
された位置に拘束されている。
第１のシリンダ錠１３がロータ１４の回転を制止された施錠状態に設定されているとき、
クランクロックプレート１５の屈曲先端部１７がハンドルレバー５の自由端１２に接近し
た位置にあり、第１のシリンダ錠１３と第２のシリンダ錠１８は互いに不干渉の状態にあ
る。
【００１３】
ここで、第２の鍵２１の回転操作によって第２のシリンダ錠１８が解錠状態に設定された
とき、ロングロックプレート２０は図６において下方に移動し、プレート先端部２２がガ
イド溝２３の一端開口に入り込むことによって、プレート先端部２２とハンドル受座１１
の係止爪部２５との係合が解除される。
このとき、プレート基端部２４はガイド溝２３の他端開口から下向きに突出し、プレート
基端部２４はクランクロックプレート１５の屈曲先端部１７の背面側に係合する。このよ
うに第２のシリンダ錠１８が第１のシリンダ錠１３の干渉を受けるため、第２のシリンダ
錠１８が解錠されても、ハンドルレバー５は本体ケース２内に収納された位置に依然とし
て拘束されたままである。
【００１４】
そこで、第１の鍵１６の回転操作によって第１のシリンダ錠１３を解錠状態に設定すると
、第１のシリンダ錠１３のクランクロックプレート１５は、屈曲先端部１７がロングロッ
クプレート２０のプレート基端部２４と係合しない位置に移動する。これによって第１の
シリンダ錠１３による第２のシリンダ錠１８の干渉が解消されるため、ハンドルレバー５
は本体ケース２に対する拘束を解かれ、ハンドルレバー５は本体ケース２から突出可能と
なる。
ハンドルレバー５を本体ケース２から引出した後、ハンドルレバー５を握ってロック軸３
を所定方向に回すことによって、前記錠止部材１０が回動し、固定枠体９に対する扉１の
錠止が解除される。
【００１５】
すなわち、本実施例では、第１のシリンダ錠１３と第２のシリンダ錠１８が共に解錠され
たときに、ハンドルレバー５が操作可能となるものであり、ダブルロック機能が得られて
いる。
ハンドル受座１１は、本体ケース２の背面壁部の透孔３６からハンドル受座１１の本体部
の螺子孔３８に螺合される２本のビス３７によって、本体ケース２に堅固に固着されてい
る。
【００１６】
図示の実施例では、シリンダ錠カバー２８が本体ケース２の下端部に嵌合装着されており、本体ケース２の背面側に設けた２本の引張りコイルバネ２９によって常時は第１のシリンダ錠１３の前面部を隠蔽するように上向きに牽引されている。
管理者または管理者から委託された者が第１の鍵１６を使用するときには、指でシリンダ錠カバー２８を引き降ろし、第１のシリンダ錠１３を露出させることになる。
【実施例２】
【００１７】
図８は、シリンダ錠２個に電気錠ユニットを組み合わせたダブルロック仕様の実施例を示し、本体ケース２の内底壁部にハンドルレバー５を収納位置に拘束するための電気錠ユニット２６を設けたものである。
この実施例では、扉１の前面に本体ケース２が固定され、本体ケース２の上方端部の背面
側に軸受筒部３４が扉前面と直角に形成され、軸受筒部３４に回転可能かつ軸方向に移動
不能に装着されたロック軸３の前端部４は、ハンドルレバー５の基端部６をロック軸３に
直角な枢軸７で枢着してある。ハンドルレバー５は本体ケース２に収納された位置と本体
ケース２より突出した位置との間を回動するものであり、ロック軸３の後端部８には、扉
１を固定枠体９に錠止する錠止部材１０がビス３５によって固着してある。
【００１８】
ハンドルレバー５の自由端１２寄りにある前記本体ケース２の部分には、第１のシリンダ
錠１３を設けてある。第１のシリンダ錠１３のロータ１４に連動装備したクランクロック
プレート１５は、第１の鍵１６の回転操作によって屈曲先端部１７がハンドルレバー５の
自由端１２に向けて前進した位置と当該自由端１２から後退した位置との間を移動する。
ハンドルレバー５の自由端１２の近傍部分には、第２のシリンダ錠１８を設けてある。第
２のシリンダ錠１８のロータ１９に連動装備したロングロックプレート２０は、第２の鍵
２１の回転操作によってプレート先端部２２がハンドルレバー５のガイド溝２３の一端開
口から突出した位置とプレート基端部２４がガイド溝２３の他端開口から突出した位置と
の間を移動する。
【００１９】
第２のシリンダ錠１８がロータ１９の回転を制止された施錠状態に設定されているとき、
ロングロックプレート２０のプレート先端部２２は電気錠ユニット２６のプランジャー先
端の錠止爪部２７の背面側に係合しており、これによってハンドルレバー５は本体ケース
２内に収納された位置に拘束されている。
第１のシリンダ錠１３がロータ１４の回転を制止された施錠状態に設定されているとき、
クランクロックプレート１５の屈曲先端部１７はハンドルレバーの自由端１２に接近した
位置にある。
【００２０】
第２のシリンダ錠１８が施錠状態に設定されているときには、ロングロックプレート２０
のプレート基端部２４がガイド溝２４の他端開口内に入り込んでおり、クランクロックプ
レート１５の屈曲先端部１７と係合しない位置にある。
このように、第２のシリンダ錠１８は第１のシリンダ錠１３による干渉を受けていない状
態において、外部から動作信号を与えて電気錠ユニット２６のソレノイドコイルに励磁電
流を流し、プランジャーを上向きに吸引作動させると、ロングロックプレート２０のプレ
ート先端部２２とプランジャー先端の錠止爪部２７との係合が解除され、ハンドルレバー
５は本体ケース２に対する拘束を解除され、本体ケース２から突出可能となる。
【００２１】
他方、電気錠ユニット２６を施錠状態に置いたまま、第２の鍵２１の回転操作によって第
２のシリンダ錠１８を解錠状態に設定すると、ロングロックプレート２０のプレート先端
部２２と電気錠ユニット２６の錠止爪部２７との係合は解除されるが、ロングロックプレ
ート２０のプレート基端部２４がガイド溝２３の他端開口から下向きに突出して、クラン
クロックプレート１５の屈曲先端部１７の背面側に係合するため、第２のシリンダ錠１６
は第１のシリンダ錠１３による干渉を受ける。そのため、依然としてハンドルレバー５は
本体ケース２に拘束されたままである。
【００２２】
そこで、第１の鍵１６の回転操作によって第１のシリンダ錠１３を解錠状態に設定すると
、第１のシリンダ錠１３のクランクロックプレート１５は、屈曲先端部１７がロングロッ
クプレート２０のプレート基端部２４と係合しない位置に移動する。これによって第１の
シリンダ錠１３による第２のシリンダ錠１８の干渉が解消されるため、ハンドルレバー５
は本体ケース２に対する拘束を解かれ、ハンドルレバー５は本体ケース２から突出可能と
なる。
ハンドルレバー５を本体ケース２から引出した後、ハンドルレバー５を握ってロック軸３
を所定方向に回すことによって、前記錠止部材１０が回動し、固定枠体９に対する扉１の
錠止が解除される。
【００２３】
すなわち、本適用例では、第１のシリンダ錠１３と第２のシリンダ錠１８が共に解錠され
たときに、ハンドルレバー５が操作可能となるものであり、ダブルロック機能が得られて
いる。
電気錠ユニット２６は、本体ケース２の背面壁部の透孔３６から電気錠ユニット２６の本
体部の螺子孔３９に螺合される２本のビス３７によって、本体ケース２に堅固に固着され
ている。
【００２４】
いずれの実施例においても、本体ケース２は扉１の前面に当てられ、扉１の背面側から本
体ケースの螺子孔４０に螺合される上下２本のビス（図示していない）によって扉１に固
着される。第１のシリンダ錠１３のロータ１４の先端にはカム突起３０が突設され、クラ
ンクロックプレート１５には、カム突起３０が係合するカム従動孔３１が形成されている
。ロータ１４が回転させられたとき、カム突起３０の側面がカム従動孔３１の内壁面を押
すことによって、クランクロックプレート１５はロータ１４に連動して所要方向に駆動さ
れる。
また、第２のシリンダ錠１８のロータ１９の先端にはカム突起３２が突設され、ロングロ
ックプレート２０には、カム突起３２が係合するカム従動孔３３が形成されている。ロー
タ１９が回転させられたとき、カム突起３２の側面がカム従動孔３３の内壁面を押すこと
によって、ロングロックプレート２０はロータ１９に連動して所要方向に駆動される。
【図面の簡単な説明】
【００２５】
【図１】本発明の一実施例に係る扉用ロックハンドル装置の正面図であり、シリンダ錠カバーは閉塞位置にある。
【図２】図１の扉用ロックハンドル装置の正面図であり、シリンダ錠カバーは開放位置にある。
【図３】図１の扉用ロックハンドル装置の右側面図である。
【図４】図１の扉用ロックハンドル装置の平面図である。
【図５】図１の扉用ロックハンドル装置の背面図である。
【図６】図１の扉用ロックハンドル装置のダブルロック機能を持たしたときの縦断面図である。
【図７】図６の扉用ロックハンドル装置よりハンドル受座を除去したときの縦断面図である。
【図８】図１の扉用ロックハンドル装置に電気錠ユニットを組み込んでダブルロック機能を持たしたときの縦断面図である。
【符号の説明】
【００２６】
１  扉
２  本体ケース
３  ロック軸
４  ロック軸の前端部
５  ハンドルレバー
６  ハンドルレバーの基端部
７  枢軸
８  ロック軸の後端部
９  固定枠体
１０  錠止部材
１１  ハンドル受座
１２  ハンドルレバーの自由端
１３  第１のシリンダ錠
１４  第１のシリンダ錠のロータ
１５  クランクロックプレート
１６  第１の鍵
１７  クランクロックプレートの屈曲先端部
１８  第２のシリンダ錠
１９  第２のシリンダ錠のロータ
２０  ロングロックプレート
２１  第２の鍵
２２  ロングロックプレートのプレート先端部
２３  ハンドルレバーのガイド溝
２４  ロングロックプレートのプレート基端部
２５  ハンドル受座の係止爪部
２６  電気錠ユニット
２７  電気錠ユニットの錠止爪部
２８  シリンダ錠カバー
２９  引張りコイルバネ
３０  第１のシリンダ錠のカム突起
３１  第１のシリンダ錠のカム従動孔
３２  第２のシリンダ錠のカム突起
３３  第２のシリンダ錠のカム従動孔
３４  本体ケースの軸受筒部
３５  錠止部材固着用ビス
【図１】
0004127712.tif 000002
【図２】
0004127712.tif 000003
【図３】
0004127712.tif 000004
【図４】
0004127712.tif 000005
【図５】
0004127712.tif 000006
【図６】
0004127712.tif 000007
【図７】
0004127712.tif 000008
【図８】
0004127712.tif 000009